(57)【特許請求の範囲】
【請求項１】
第１の帳票部と、
前記第１の帳票部と幅方向に連接され、その第１の帳票部よりも剛性の高い及び／又は厚みの厚い第２の帳票部と、
前記第１及び第２の帳票部のさらに外側に形成され、ピントラクタに係合して送られる第１及び第２のマージナル部と、
を備えた一体型連続帳票において、
前記第２の帳票部及び第２のマージナル部は、帳票基材とタックシートとが、接着剤層及び剥離層を挟んで再剥離可能に積層された層構造であって、
前記第２のマージナル部は、前記帳票基材又は前記タックシートが前記剥離層の部分から剥離除去されて、前記第２の帳票部よりも薄く形成されること、
を特徴とする一体型連続帳票。
【請求項２】
請求項１に記載の一体型連続帳票において、
前記タックシートは、タック基材と、粘着剤層と、離型シートがこの順に積層されており、
前記第２の帳票部には、前記離型シートの剥離の切っ掛けとする部分を区画し、前記第２の帳票部の前記帳票基材の表面から前記粘着剤層の裏面まで切り込んで形成されたハーフカットを備えており、
前記帳票基材は、前記ハーフカットよりも外側の部分が剥離除去されていること、
を特徴とする一体型連続帳票。
【発明の詳細な説明】
【０００１】
【発明の属する技術分野】
本発明は、厚みや剛性等の異なる帳票が一体化された一体型連続帳票に関するものである。
【０００２】
【従来の技術】
図４は、従来の一体型連続帳票の一例とその課題を説明する図である。
従来の一体型連続帳票２０は、第１の帳票部２０Ａと、第１の帳票部２０Ａと幅方向に連接され、その第１の帳票部２０Ａよりも剛性が高く、厚みの厚い第２の帳票部２０Ｂと、第１及び第２の帳票部２０Ａ，２０Ｂのさらに外側に形成され、プリンタ等のピントラクタに係合して送られる第１及び第２のマージナル部２０Ｃ，２０Ｄとを備えている。
【０００３】
第１の帳票部２０Ａは、ピッキングリストや領収書などの配送情報などが記載され、各帳票毎にミシン目ｍで切り離される帳票群である。また、第１の帳票部２０Ａと第１のマージナル部２０Ｃは、図４（ｂ）に示すように、１枚のノンインパクトプリンタ（以下、ＮＩＰという）用紙２１のみからなる部分である。
【０００４】
第２の帳票部２０Ｂは、例えば、１ｐｔ配送伝票として使用され、届け先で剥離され、受領印をもらって持ち帰る配達票２０Ｂ−１と、配送荷物に貼付され、荷札となる貼付票２０Ｂ−２からなる部分である。
また、第２の帳票部２０Ｂと第２のマージナル部２０Ｄは、図４（ｂ）に示すように、ＮＩＰ用紙２１の裏面に、接着剤層２２と剥離層２３を介して、タック紙２４が設けられた層構造である。タック紙３４は、タック基材２４ａと、タック基材２４ａの片側に形成された粘着剤層２４ｂと、粘着剤層２４ｂを保護する剥離紙２４ｃとを備えており、ＮＩＰ用紙２１からタック紙２４の剥離層２４ｂまでは、剥離紙２４ｃを剥がすためのハーフカットｈｃが形成されている。
【０００５】
なお、図４には、一体連続帳票２０は、１単位の帳票のみを図示したが、上下方向に連続した帳票である。
【０００６】
【発明が解決しようとする課題】
しかし、前述した従来の一体型連続帳票は、以下のような問題があった。
（１）第１及び第２の帳票部は、厚みや透気度、滑り性の異なる２種の帳票部が幅方向に連接されたものであるため、順調に印字できる状態でも、斜行しやすい状況になっており、帳票自体にシワが発生する。
（２）この一体型連続帳票は、左端から、１本のＴハーフカットｈｃと、３本のＴミシン目ｍとが入っているため、シワがそれらに合致すると、強度面から破れやすい状況になっている。
（３）通常、第２の帳票部（厚紙となっている貼り合わせ部分）は、その剛度で帳票全体を引っ張っているため、ＮＩＰ上質紙に入っているＴミシン目ｍは、破れまで至らない。
【０００７】
（４）一方、Ｔハーフカットｈｃは、その厚紙となっている貼り合わせ部分の中にあるため、ここにシワが一致すると、破れにまで至る可能性が高い。
（５）そして、破れが発生すると、両側のピントラクタによって、強制的にフィード（矢印Ａ）することができずに、片側のピントラクタによるフィードとなるため、本来的に移動したい方向Ｂにフィードされていく。
（６）結果的に、帳票の破れが伝播し、転写部でジャムが発生して、プリンタ等は、機械停止してしまう。
【０００８】
本発明の課題は、フィード適性がよく、ジャム等の発生を防止することを可能にする一体型連続帳票を提供することである。
【０００９】
【課題を解決するための手段】
前記課題を解決するために、請求項１の発明は、第１の帳票部（１０Ａ）と、前記第１の帳票部と幅方向に連接され、その第１の帳票部よりも剛性の高い及び／又は厚みの厚い第２の帳票部（１０Ｂ）と、前記第１及び第２の帳票部のさらに外側に形成され、ピントラクタに係合して送られる第１及び第２のマージナル部（１０Ｃ，１０Ｄ）と、を備えた一体型連続帳票において、前記第２の帳票部及び第２のマージナル部は、帳票基材（１１）とタックシート（１４）とが、接着剤層（１２）及び剥離層（１３）を挟んで再剥離可能に積層された層構造であって、前記第２のマージナル部（１０Ｄ）は、前記帳票基材（１１）又は前記タックシート（１４）が前記剥離層（１３）の部分から剥離除去されて、前記第２の帳票部よりも薄く形成されること、を特徴とする一体型連続帳票である。
【００１１】
請求項２の発明は、請求項１に記載の一体型連続帳票において、前記タックシート（１４）は、タック基材（１４ａ）と、粘着剤層（１４ｂ）と、離型シート（１４ｃ）がこの順に積層されており、前記第２の帳票部（１０Ｂ）には、前記離型シート（１４ｃ）の剥離の切っ掛けとする部分を区画し、前記第２の帳票部の前記帳票基材（１１）の表面から前記粘着剤層（１４ｂ）の裏面まで切り込んで形成されたハーフカット（ｈｃ）を備えており、前記帳票基材（１１）は、前記ハーフカットよりも外側の部分が剥離除去されていること、を特徴とする一体型連続帳票である。
【００１２】
【発明の実施の形態】
以下、図面などを参照しながら、本発明の実施の形態をあげて、さらに詳しく説明する。
（第１実施形態）
図１は、本発明による一体型連続帳票の第１実施形態を示した平面図、図２は、第１実施形態による一体型連続帳票の第２帳票部を示した断面図である。
なお、以下に示す各実施形態では、前述した従来例と同様な機能を果たす部分には、末尾に共通した符号を付して、重複する図面や説明を適宜省略する。
【００１３】
第１実施形態の一体型連続帳票１０は、第１の帳票部１０Ａと、第２の帳票部１０Ｂと、第１及び第２のマージナル部１０Ｃ，１０Ｄとを備えている。
第１の帳票部１０Ａと第１のマージナル部１０Ｃは、１枚のＮＩＰ用紙１１のみからなる部分である。第２の帳票部１０Ｂと第２のマージナル部１０Ｄは、ＮＩＰ用紙１１の裏面に、図２に示すように、接着剤層１２と剥離層１３を介して、タック紙１４が設けられた層構造である。タック紙１４は、タック基材１４ａと、粘着剤層１４ｂと、剥離紙１４ｃとを備えており、ＮＩＰ用紙１１からタック紙１４の粘着剤層１４ｂまでは、ハーフカットｈｃが形成されている。
【００１４】
第１実施形態では、第２のマージナル部１０Ｄは、図２に示すように、第２の帳票部１０Ｂよりも薄く形成されている。具体的には、第２の帳票部１０Ｂ及び第２のマージナル部１０Ｄは、図２に示すように、ＮＩＰ用紙１１とタック紙１４とが、接着剤層１２及び剥離層１３を挟んで再剥離可能に積層された層構造であって、第２のマージナル部１０Ｄは、ＮＩＰ用紙１１、接着剤層１２及び剥離層１３より上側の部分（図１，図２の破線で示す１０Ｄ−１の部分）が剥離除去（ムシリ上げ）されている。
【００１５】
つまり、第１実施形態では、剥離紙１４ｃの剥離の切っ掛けとする部分を区画し、表面から剥離紙１４ｃへ到達するハーフカットｈｃが、第２の帳票部１０Ｂと第２のマージナル部１０Ｄの境界線に形成されている。１０Ｄ−１の部分は、ハーフカットｈｃよりも外側（左側）の部分である。
【００１６】
このように、第１実施形態によれば、第２のマージナル部１０Ｄの上側の部分１０Ｄ−１で、ハーフカットｈｃよりも左側の部分がムシリ上げられており、第１のマージナル部１０Ｃと厚みと剛性がほぼ同じになったので、ピントラクタの力が均等にかかり、斜行することがなくなった。また、破線に示す矢印Ｃのような力がかからないので、破断することもなくなった。
このため、第１及び第２の帳票部１０Ａ，１０Ｂにしわに発生することもなく、フィード適性が良好になった。
【００１７】
（第２実施形態）
図３は、第２実施形態による一体型連続帳票の第２帳票部を示した断面図である。
第２実施形態の一体型連続帳票１０−２では、第２のマージナル部１０Ｄは、タック紙１４より下側の部分（図３の破線で示す１０Ｄ−２の部分）が剥離除去（ムシリ上げ）されている。
なお、この場合には、タック紙１４の剥離の切っ掛けとする部分を区画するハーフカットｈｃ２は、裏面側からタック基材１４ａへ到達するように形成されている。
【００１８】
第２の実施形態によれば、第２のマージナル部１０Ｄの下側の部分１０Ｄ−２がムシリ上げられており、第１のマージナル部１０Ｃと同じＮＩＰ用紙１１だけになり、厚みと剛性が全く同じになったので、ピントラクタの力がより均等にかかり、フィード適性がさらに良好になった。
【００１９】
（変形形態）
以上説明した実施形態に限定されることなく、種々の変形や変更が可能であって、それらも本発明の均等の範囲内である。
例えば、図２及び第３の層構造は、接着剤層１２と剥離層１３とが、逆に形成されていてもよい（接着剤層１２をどちら側に残したいかによる）。
また、第１実施形態の場合に、ハーフカットｈｃの位置と、第２の帳票部１０Ｂと第２のマージナル部１０Ｄの境界のミシン目ｍとが一致している例で説明したが、位置がずれていてもよい。
【００２０】
【発明の効果】
以上説明したように、本発明によれば、フィード適性がよく、ジャム等の発生を防止することができる、という効果がある。
【図面の簡単な説明】
【図１】本発明による一体型連続帳票の第１実施形態を示した平面図である。
【図２】第１実施形態による一体型連続帳票の第２帳票部を示した断面図である。
【図３】第２実施形態による一体型連続帳票の第２帳票部を示した断面図である。
【図４】従来の一体型連続帳票の一例とその課題を説明する図である。
【符号の説明】
１０，１０−２  一体型連続帳票
１０Ａ  第１の帳票部
１０Ｂ  第２の帳票部
１０Ｃ  第１のマージナル部
１０Ｄ  第１のマージナル部
１１  ＮＩＰ用紙
１２  接着剤層
１３  剥離層
１４  タック紙
１４ａ  タック基材
１４ｂ  粘着剤層
１４ｃ  剥離紙
ｈｃ，ｈｃ２  ハーフカット
【図１】
0004540832.tif 000002
【図２】
0004540832.tif 000003
【図３】
0004540832.tif 000004
【図４】
0004540832.tif 000005